(57)【要約】  【課題】  窓枠の電動モータ側となる一側縁及び幕体の一側縁間の第１隙間を小さくすることができ、前記第１隙間と、窓枠の他側縁及び幕体の他側縁間の第２隙間との差を小さくすることができるようにする。  【解決手段】  幕体を巻上げるための巻上ロール２を、該巻上ロール２の軸芯方向外方に配される電動モータ３の出力軸３１に連動連結され、複数の周方向位置に凸条片２６を有する軸体２１と、前記凸条片２６に係合する係合溝２７を有し、軸体２１に挿脱可能に嵌合される筒体２２と、該筒体２２と一体成形され、前記電動モータ３の外周りに遊嵌される筒形遊嵌部２３をと備える構成とし、電動モータ３の外周りに幕体Ａを巻回することができるようにした。【選択図】      図１
2006104807.tif 000002
【特許請求の範囲】
【請求項１】
幕体を巻上げるための巻上ロールと、該巻上ロールの軸芯方向外方に配され、その出力軸が前記巻上ロールに連動連結される電動モータとを備える幕体巻上装置において、前記巻上ロールは、前記電動モータの外周りに遊嵌される筒形遊嵌部を有することを特徴とする幕体巻上装置。
【請求項２】
前記巻上ロールは、前記出力軸に連動連結される軸体と、該軸体に挿脱可能に嵌合され、前記筒形遊嵌部が一体的に設けられている筒体とを有する請求項１記載の幕体巻上装置。
【請求項３】
前記筒形遊嵌部及び前記筒体は略等径であり、一体成形されている請求項２記載の幕体巻上装置。
【請求項４】
前記軸体は複数の周方向位置からラジアル方向外方へ突設された凸条片を有しており、前記筒体は前記凸条片に係合する係合溝を有する請求項２又は３記載の幕体巻上装置。
【発明の詳細な説明】
【技術分野】
【０００１】
本発明は、カーテン、映写用スクリーン等の幕体を巻下げ可能に巻上げるための幕体巻上装置に関する。
【背景技術】
【０００２】
幕体巻上装置は、電動モータと、該電動モータの出力軸に連動連結され、幕体を巻上げるための巻上ロールとを備えており、窓枠の上部に配置して電動モータを一方向へ回転させることにより、幕体を巻上ロールに巻回しつつ巻上げ、電動モータを他方向へ回転させることにより、幕体を巻下げるように構成されている（例えば、特許文献１。）。
【０００３】
このように電動モータ及び巻上ロールを有する電動式の幕体巻上装置は、巻上ロールの全長と等幅の幕体が用いられ、該幕体を巻上ロールの両端からはみださないように巻上ロールに巻回することにより、幕体を全幅に亘って緊張させ、幕体が弛まないようにしている。
【特許文献１】特開２００４−２２５４８９号公報
【発明の開示】
【発明が解決しようとする課題】
【０００４】
ところが、電動式の幕体巻上装置にあっては、巻上ロールの一端外方に電動モータが配設されており、この電動モータの外周りには幕体が巻回されないため、即ち、幕体は巻上ロールの外周りにだけ巻回されるため、窓枠の内側上部に幕体巻上装置が取着されたとき、窓枠の一側縁及び幕体の一側縁間の第１隙間が、窓枠の他側縁及び幕体の他側縁間の第２隙間よりはるかに大きくなり、幕体による窓の遮蔽率が悪いし、また、見栄えが悪く、改善策が要望されていた。
【０００５】
本発明は斯かる事情に鑑みてなされたものであり、主たる目的は電動モータの外周りに遊嵌される筒形遊嵌部を巻上ロールが有する構成とすることにより、窓枠の電動モータ側となる一側縁及び幕体の一側縁間の第１隙間を小さくすることができ、また、前記第１隙間と、前記第２隙間との差を小さくすることができる幕体巻上装置を提供することにある。
【０００６】
また、他の目的は出力軸に連動連結される軸体と、該軸体に挿脱可能に嵌合され、筒形遊嵌部が設けられている筒体とを巻上ロールが有する構成とすることにより、筒形遊嵌部を有する巻上ロールの組立て作業性を向上できる幕体巻上装置を提供することにある。
【０００７】
また、他の目的は筒形遊嵌部及び筒体を略等径とし、一体成形することにより、周面に段差のない巻上ロールを簡易を得ることができる幕体巻上装置を提供することにある。
【０００８】
また、他の目的は軸体の外周部に凸条片を設け、この凸条片に係合する係合溝を筒体に設けることにより、電動モータの外周りに遊嵌することが可能な大きさの巻上ロールを軽量にできる幕体巻上装置を提供することにある。
【課題を解決するための手段】
【０００９】
第１発明に係る幕体巻上装置は、幕体を巻上げるための巻上ロールと、該巻上ロールの軸芯方向外方に配され、その出力軸が前記巻上ロールに連動連結される電動モータとを備える幕体巻上装置において、前記巻上ロールは、前記電動モータの外周りに遊嵌される筒形遊嵌部を有することを特徴とする。
【００１０】
第１発明にあっては、巻上ロールが筒形遊嵌部を有しており、この筒形遊嵌部が電動モータの外周りにり遊嵌されているため、幕体を電動モータの外周りに巻回することができる。従って、窓枠の内側上部に幕体巻上装置が取着されたとき、窓枠の電動モータ側となる一側縁及び幕体の一側縁間の第１隙間を小さくすることができ、さらに、窓枠の一側縁及び幕体の一側縁間の第１隙間と、窓枠の他側縁及び幕体の他側縁間の第２隙間との差を小さくすることができる。
【００１１】
第２発明に係る幕体巻上装置は、第１発明において、前記巻上ロールは、前記出力軸に連動連結される軸体と、該軸体に挿脱可能に嵌合され、前記筒形遊嵌部が一体的に設けられている筒体とを有することを特徴とする。
【００１２】
第２発明にあっては、筒体を軸体に嵌挿することにより筒形遊嵌部を電動モータの外周りに遊嵌することができる。
【００１３】
第３発明に係る幕体巻上装置は、第２発明において、前記筒形遊嵌部及び前記筒体は略等径であり、一体成形されていることを特徴とする。
【００１４】
第３発明にあっては、周面に段差がなく、電動モータの外周りに遊嵌することが可能な大きさの巻上ロールを簡易を得ることができる。
【００１５】
第４発明に係る幕体巻上装置は、第２発明又は第３発明において、前記軸体は複数の周方向位置からラジアル方向外方へ突設された凸条片を有しており、前記筒体は前記凸条片に係合する係合溝を有することを特徴とする。
【００１６】
第４発明にあっては、巻上ロール軸体及び筒体の周面間を空洞にすることができ、電動モータの外周りに遊嵌することが可能な大きさの巻上ロールを軽量にできる。
【発明の効果】
【００１７】
第１発明によれば、窓枠の電動モータ側となる一側縁及び幕体の一側縁間の第１隙間を小さくすることができるため、幕体による窓の遮蔽率を高めることができる。しかも、窓枠の一側縁及び幕体の一側縁間の第１隙間と、窓枠の他側縁及び幕体の他側縁間の第２隙間との差を小さくすることができるため、幕体が遮蔽した場合の見栄えを良好にできる。
【００１８】
第２発明によれば、筒体を軸体に嵌挿することにより筒形遊嵌部を電動モータの外周りに遊嵌することができるため、筒形遊嵌部を有する巻上ロールの組立て作業性を向上でき、コストを低減できる。
【００１９】
第３発明によれば、周面に段差がなく、電動モータの外周りに遊嵌することが可能な大きさの巻上ロールを簡易を得ることができる。
【００２０】
第４発明によれば、軸体及び筒体の周面間を空洞にすることができ、電動モータの外周りに遊嵌することが可能な大きさの巻上ロールを軽量にできる。
【発明を実施するための最良の形態】
【００２１】
以下本発明をその実施の形態を示す図面に基づいて詳述する。図１は本発明に係る幕体巻上装置の構成を示す横断平面図、図２は図１のII−II線の断面図、図３は図１のIII −III 線の断面図である。
【００２２】
この幕体巻上装置は、窓枠等の静止物に取着される杆状のフレーム１と、該フレーム１の両端部間に回転自在に支持される巻上ロール２と、該巻上ロール２の軸芯方向外方に配される円柱形の電動モータ３と、フレーム１を窓枠等の静止物に取着する取着体４とを備え、電動モータ３の出力軸３１が巻上ロール２の一端部に伝動機構５を介して連動連結されている。
【００２３】
フレーム１は巻上ロール２の外周面と対向する内面が凹に湾曲する杆板１１と、該杆板１１の長手方向両端に小ねじにより結合された第１及び第２のフランジ１２，１３と、杆板１１の幅方向両端に突設された案内レール１４，１５とを有する。第１のフランジ１２には電動モータ３及び該出力軸３１の軸芯と平行的に突設された２本の支持杆１６が固定されており、該支持杆１６の先端に略コ字形のロール支持体６が小ねじにより固定され、フランジ１２と一体になっている。
【００２４】
第２のフランジ１３には固定軸７の一端が小ねじにより固定されており、該固定軸７に巻上ロール２の他端部が支持されている。また、固定軸７には巻上ロール２を巻上げ方向へ付勢する巻上げばねとしてのコイルスプリング８が巻回されている。このコイルスプリング８は、一端が固定軸７に係止され、他端が巻上ロール２に係止され、電動モータ３による巻上ロール２の巻上方向への回転を補助するように構成されている。即ち、巻上ロール２が幕体を巻下げる方向へ回転するときは、巻上ロール２に加わる幕体の荷重によりコイルスプリング８が捩じれて漸次弾性復元力が大きくなり、巻上ロール２が幕体を巻上げる方向へ回転するときは、コイルスプリング８の弾性復元力により巻上ロール２の電動モータ３による巻上回転を補助するように構成されている。
【００２５】
取着体４は案内レール１４，１５に摺動可能に係止される係止部４１，４２と、取着用孔とを有する板体からなり、係止部４２に螺着された複数本の小ねじ９を案内レール１５に当接させることにより摺動が阻止されている。
【００２６】
ロール支持体６は出力軸３１の軸芯方向へ離隔し、夫々に二つの貫通孔６ａ，６ｂが穿設された第１及び第２の軸支板部６１，６２と、軸支板部６１，６２を連結する連結板部６３とを有しており、第１の軸支板部６１の貫通孔６ａに出力軸３１が支持され、該出力軸３１に駆動歯車５１が嵌合固定されている。第１及び第２の軸支板部６１，６２の貫通孔６ｂには駆動歯車５１に噛合する従動歯車５２を有する伝動軸５３が回転自在に支持されている。尚、駆動歯車５１、従動歯車５２及び伝動軸５３が伝動機構５を構成している。
【００２７】
巻上ロール２はロール支持体６及び第２のフランジ１３間に配される筒形の軸体２１と、該軸体２１の外周りに挿脱可能に嵌合された円筒形の筒体２２と、該筒体２２とアルミニウム材により一体成形され、電動モータ３の外周りに遊嵌される筒形遊嵌部２３とを有する。軸体２１の両端部には軸孔を有する第１及び第２の軸受部材２４，２５が嵌合固定されており、第１の軸受部材２４の軸孔に伝動軸５３が相対回転不可能に嵌合され、第２の軸受部材２５の軸孔に固定軸７が相対回自在に嵌合されている。また、軸体２１の外周部には複数の周方向位置からラジアル方向外方へ突出する凸条片２６がアルミニウム材により一体成形されている。
【００２８】
筒体２２及び筒形遊嵌部２３は電動モータ３より大径に形成され、筒形遊嵌部２３を電動モータ３及びロール支持体６の外周りに遊嵌することができるようになっており、また、筒体２２及び筒形遊嵌部２３は略等径に形成され、筒体２２及び筒形遊嵌部２３の間に段差が生じないようになっている。また、筒体２２及び筒形遊嵌部２３の内周部で、且つ複数の周方向位置には凸条片２６に係合する係合溝２７が全長に亘って設けられており、筒体２２及び軸体２１を軸芯方向へ相対移動させることにより、筒体２２を軸体２１に対して挿脱することができるように構成されている。
【００２９】
図４は使用状態を示す概略図である。以上のように構成された幕体巻上装置は、巻上ロール２における筒体２２及び筒形遊嵌部２３に幕体Ａが巻回された状態で例えば窓枠の内側上部に取着体４により取着される。この場合、巻上ロール２の筒形遊嵌部２３が電動モータ３の外周りに遊嵌されており、幕体Ａを電動モータ３の外周りに巻回することができるため、窓枠の電動モータ３側となる一側縁Ｂ１及び幕体Ａの一側縁Ａ１間の第１隙間Ｃ１を小さくすることができ、幕体Ａによる窓の遮蔽率を高めることができる。しかも、窓枠の電動モータ３側となる一側縁Ｂ１及び幕体Ａの一側縁Ａ１間の第１隙間Ｃ１と、窓枠の他側縁Ｂ２及び幕体Ａの他側縁Ａ２間の第２隙間Ｃ２との差をほぼ等しくすることができ、幕体Ａが遮蔽した場合の見栄えを良好にできる。
【００３０】
尚、以上説明した実施の形態の巻上ロール２は、筒体２２と筒形遊嵌部２３とが一体成形された構成としたが、その他、筒形遊嵌部２３が筒体２２に一体的に結合された構成であってもよいし、また、筒形遊嵌部２３が軸体２１と一体成形又は一体的に結合された構成であってもよい。
また、巻上ロール２は軸体２１、筒体２２及び筒形遊嵌部２３を有する構成としたが、その他、軸体２１をなくし、筒体２２及び筒形遊嵌部２３を有する構成としてもよい。この場合、例えば筒体２２の両端部に軸受部材を設け、一方の軸受部材を伝動軸５３に伝動可能に支持し、他方の軸受部材を固定軸７に回転自在に支持する。
【００３１】
また、本発明に係る幕体巻上装置は巻上ロール２の一端側に電動モータ３を備えるものの他、巻上ロール２の両端側に電動モータ３を備えるものであってもよい。
【図面の簡単な説明】
【００３２】
【図１】本発明に係る幕体巻上装置の構成を示す横断平面図である。
【図２】図１のII−II線の断面図である。
【図３】図１のIII −III 線の断面図である。
【図４】本発明に係る幕体巻上装置の使用状態を示す概略図である。
【符号の説明】
【００３３】
２    巻上ロール
２１  軸体
２２  筒体
２３  筒形遊嵌部
２６  凸条片
２７  係合溝
３    電動モータ
３１  出力軸
Ａ    幕体
【図１】
2006104807.tif 000003
【図２】
2006104807.tif 000004
【図３】
2006104807.tif 000005
【図４】
2006104807.tif 000006